(57)【要約】【課題】視聴するＴＶに最適な番組を容易に視聴することができる番組視聴装置を提供する。【解決手段】インターネットを介し、所望の番組に関する番組情報を複数の番組配信サーバーにリクエストし、複数の番組配信サーバーから得られた所望番組のリストアップ情報を用いて、視聴するＴＶや携帯端末の最適度をＴＶや携帯端末で評価し、評価の高い番組をＴＶに自動表示することで、視聴するＴＶに最適な番組を容易に視聴することを可能にする。なお評価には再生時間と解像度の重み付けを制御するパラメータを設け、このパラメータをＴＶ画面にＯＳＤを表示して制御することで、操作性の改善も行う。【選択図】図１
2009171490.tif 000002
【特許請求の範囲】
【請求項１】
ネットワークを介し所望の番組の番組情報の提示のリクエストを行う端末と、
前記端末のリクエストをそれぞれ受信し、前記所望の番組の番組情報を前記の端末に対してそれぞれ提示する複数の番組配信サーバーと、からなる映像視聴システムであって、
前記の複数の番組配信サーバーから受信する所望の番組の番組情報及び前記端末に記憶される端末情報から、前記の複数の番組配信サーバーから受信した所望番組の番組情報のそれぞれについて、前記端末に対する最適度を算出することで、前記の複数の番組配信サーバーの番組情報から前記端末に最適な番組を自動的に表示することを特徴とする映像視聴システム。
【請求項２】
前記端末のリクエストは番組名情報を含むことを特徴とする請求項１記載の映像視聴システム。
【請求項３】
前記複数の番組配信サーバーからの所望の番組の番組情報は、番組の解像度情報と番組の再生時間長情報を含むことを特徴とする請求項１記載の映像視聴システム。
【請求項４】
前記端末情報は、端末の表示部の解像度情報と番組の放送時間長情報を含むことを特徴とする請求項１記載の映像視聴システム。
【請求項５】
前記端末に対する最適度の算出は、番組の解像度と放送時間長との優先度を設定することで行うことを特徴とする請求項１記載の映像視聴システム。
【請求項６】
前記番組の解像度と放送時間長との優先度の設定は、解像度及び放送時間の優先度を設定するＯＳＤバーを端末の表示部に表示することで行うことを特徴とする請求項１記載の映像視聴システム。
【請求項７】
前記端末に対する最適度の算出において、前記複数の番組配信サーバーからの番組の解像度情報と前記端末の表示部の解像度情報との比と前記複数の番組配信サーバーからの再生時間情報と前記端末の番組の放送時間長情報との比とを前記優先度で重み付けして加算することで、前記端末に対する最適度を算出することを特徴とする請求項１記載の映像視聴システム。
【発明の詳細な説明】
【技術分野】
【０００１】
本発明は、インターネット上にある複数の番組配信サーバーから所望の番組を入手し、視聴する映像視聴システムに関するものである。
【背景技術】
【０００２】
近年携帯端末などの小画面ＴＶでの番組視聴向けに、ワンセグ放送などモバイル端末向けの番組放送サービスが高速で普及している。また、インターネットを介しての番組配信サーバーによる番組配信サービスが高速で普及している。
【０００３】
上記背景のもと、家庭にあるＴＶ（携帯端末よりは大画面ＴＶ）で、上記のワンセグ放送などモバイル端末向けの番組放送サービスやインターネットを介しての番組配信サーバーによる番組配信サービスを視聴するケースも今後増えてくると考えられる。
【０００４】
このように番組の配信方法が多様になると、同一内容の番組であっても、配信方法ごとに番組の解像度が異なることが考えられる。また、同一内容の番組であっても、例えば通常版とダイジェスト版といったように、番組再生時間が異なることが考えられる。
【０００５】
従って今後は、視聴するＴＶの性能やユーザーの要望に対して、最適な番組を如何に容易に視聴できるかが求められる。
【０００６】
上記に対する従来例としては、インターネットを介し、所望画像の類似画像をリストアップする類似画像検索装置が開示されており（特許文献１参照）、また番組の映像解像度などにより番組品質を評価し番組提供をおこなうというコンテンツ再生装置が開示されている（特許文献２参照）。
【０００７】
ここで上記の２つの従来例を組み合わせることで、所望画像に対し、インターネットを介し、複数の類似画像のリストアップ情報を入手し、リストアップされた情報の中から番組品質がよいものを選択し、番組視聴を行うことが可能となる。
【特許文献１】特開平１−１０３７３５号公報
【特許文献２】特開２００７−４３５６２号公報
【発明の開示】
【発明が解決しようとする課題】
【０００８】
上記の従来例の組み合わせでは、所望画像に対し、インターネットを介し、複数の類似画像のリストアップ情報を入手し、リストアップされた情報の中から番組品質がよいものを選択し、番組視聴を行うことが可能となるが、視聴するＴＶの性能やユーザーの要望に対して、最適な番組を容易に視聴することができないという課題があった。
【０００９】
本発明の目的は、視聴するＴＶの性能やユーザーの要望に対して、最適な番組を選択可能な映像視聴システムを提供することにある。
【課題を解決するための手段】
【００１０】
インターネットを介し、所望の番組に関する番組情報を複数の番組配信サーバーにリクエストし、複数の番組配信サーバーから得られた所望番組のリストアップ情報（番組解像度、番組再生時間など）を用いて、視聴するＴＶや携帯端末の最適度をＴＶや携帯端末で評価し、評価の高い番組をＴＶに自動表示することで、視聴するＴＶに最適な番組を容易に視聴することを可能にする。なお評価には再生時間と解像度の重み付けを制御するパラメータを設け、このパラメータをＴＶ画面にＯＳＤを表示して制御することで、操作性の改善も行う。
【発明の効果】
【００１１】
本発明に係る映像視聴システムによれば、リストアップされた所望番組に対する番組情報より、視聴するＴＶへの最適度を評価し、評価の高いものをＴＶに自動表示することで、視聴するＴＶに最適な番組を容易に視聴することができる。
【発明を実施するための最良の形態】
【００１２】
以下、本発明の一実施の形態に係る映像視聴システムついて説明する。
【００１３】
図１は、本発明の一実施の形態に係る映像視聴システムの動作概要を説明するための図である。
【００１４】
図１において、１１ａ〜ｃは番組配信サーバー、１２はネットワーク（インターネット）、１３携帯端末、１４家庭でのＴＶである。
【００１５】
携帯端末１３のユーザーまたはＴＶ１４のユーザーは、インターネットを介し視聴したい番組（以下、所望番組）を、複数の番組配信サーバー１１ａ〜ｃにリクエストを送信する。複数の番組配信サーバー１１ａ〜ｃに送信されるリクエストを、以下、所望番組リクエストと称する。番組配信サーバー１１ａ〜ｃは、所望番組リクエストに基づき、所望番組を検索する。番組配信サーバー１１ａ〜ｃは、検索された所望番組をリストアップする。番組配信サーバー１１ａ〜ｃは、リストアップした番組に映像解像度や再生時間などの番組情報を加えたリストアップ情報を作成する。また、番組配信サーバー１１ａ〜ｃは、リストアップ情報を携帯端末１３またはＴＶ１４にインターネットを介し送信する。
【００１６】
携帯端末１３またはＴＶ１４は、番組配信サーバー１１ａ〜ｃより送信されたリストアップ情報から、視聴するＴＶや携帯端末に対する番組の最適度を算出し、番組の最適度が最も高かった番組を携帯端末１３またはＴＶ１４に提示する。番組の最適度に関する詳細は後述する。
【００１７】
以下、図２を用いてさらに詳細に本発明の一実施の形態に係る映像視聴システムの動作概要を説明する。なお、本実施の形態においては、以下、ＴＶ１４の動作について説明するが、携帯端末１３においても同様の動作が可能である。
【００１８】
図２は本発明の一実施の形態に係る番組視聴装置のフローチャートである。
【００１９】
ユーザーはＴＶ１４に所望番組の番組情報を設定する（Ｓ１１）。設定方法としては、例えば、携帯端末１３においては釦などの入力用のインターフェースを用い、ＴＶ１４においてはリモコンを用いて所望番組の番組情報を設定する。設定する所望番組の番組情報は、例えば、番組名、番組時間長、パラメータαの設定（後記で説明を記載）である。
【００２０】
ＴＶ１４は、番組配信サーバー１１ａ〜ｃに対し、所望番組の番組情報を所望番組リクエストとして送信する（Ｓ１２）。
【００２１】
番組配信サーバー１１ａ〜ｃは、受信した所望番組リクエストを基に番組検索
をし、リストアップ情報を作成する（Ｓ１３）。
【００２２】
番組配信サーバー１１ａ〜ｃは、作成したリストアップ情報を、リクエストのあったＴＶ１４に対してインターネットを介し送信する。ＴＶ１４は、番組配信サーバー１１ａ〜ｃからインターネットを介しリストアップ情報を受信する（Ｓ１４）。
【００２３】
ＴＶ１４は、受信したリストアップ情報のうちの１番組について、ＴＶ１４に対する最適度が算出可能かを判断する（Ｓ１５）。
【００２４】
ＴＶ１４が、最適度計算が算出不可と判断された場合には、リストアップ情報に記載の番組のうち、次の番組に移行し（Ｓ１６）、移行した番組について、ＴＶ１４に対する最適度が算出可能かを判断する（Ｓ１５）。
【００２５】
一方、ＴＶ１４は、最適度計算が算出可能と判断された場合は、最適度の算出をする（Ｓ１７）。最適度の算出方法の詳細は後述する。
【００２６】
次にＴＶ１４は、直前に算出された番組の最適度とすでに算出された番組の最適度を比較し、最適度が最大値の番組を選択する（Ｓ１８）。
【００２７】
ＴＶ１４は、リストアップ情報に記載の番組のうち、最適度が算出可否を判断されていない番組に移行し（Ｓ１６）、移行した番組について、ＴＶ１４に対する最適度が算出可能かを判断する（Ｓ１５）。また、リストアップ情報に記載された番組のすべてについて、最適度が算出可否か判定されたかを判断する（Ｓ１９）。
【００２８】
ＴＶ１４は、リストアップ情報に記載された番組のすべてについて、最適度の算出可否が判定されていない場合は、最適度の算出可否が判定されていない番組に移行し（Ｓ１６）、移行した番組について、ＴＶ１４に対する最適度が算出可能かを判断する（Ｓ１５）。
【００２９】
一方、ＴＶ１４は、リストアップ情報に記載された番組のすべてについて、最適度が算出可能か否かが判定された場合は、最適度が最大となった番組を画面上に表示する（Ｓ１１０）。
【００３０】
その後、当該番組を表示すると共に、パラメータαの設定が変更されたか否かを検出する（Ｓ１１１）。パラメータαの詳細については後述する。パラメータαの設定が変更された場合は、リストアップ情報に記載された番組について、最初の番組に移行し（Ｓ１１２）、再度、リストアップ情報に記載された番組の最適度を算出する。
【００３１】
次に、最適度計算方法に関して説明する。
【００３２】
最適度の計算には、下記の評価関数Ｆ（α）を使用して行う。
【００３３】
評価関数：Ｆ（α）＝α＊（  再生時間（ＰＴ）  ／  番組時間長（ＰＬ）  ）＋（番組解像度（ＰＲ）  ／  ＴＶ解像度（ＴＲ）  ）＊（１−α）  但し：番組解像度≧ＴＶ解像度の時は、番組解像度＝ＴＶ解像度、１≧α≧０
上記評価関数において、パラメータα（１≧α≧０）は、評価関数における再生時間と解像度の重み付けで使用するパラメータである。再生時間（ＰＴ）はリストアップ情報から入手した番組の再生時間である。番組時間長は所望番組の本来の番組長である。番組解像度（ＰＲ）はリストアップ情報から入手した番組の解像度である。ＴＶ解像度（ＴＲ）は、ＴＶの解像度である。
【００３４】
なお、ＴＶ解像度（ＴＲ）は、視聴するＴＶの解像度であり、ＴＶ固有値でありＴＶ毎に定まる固定値である。また、番組時間長（ＰＬ）は、視聴したい番組であり、予め番組の長さ（時間）は既知であり固定値である。
【００３５】
上記の図２のＳ１５における最適度計算の算出可否の判断は、リストアップ情報に再生時間（ＰＴ）と番組解像度（ＰＲ）があるかないかで判断される。なお番組解像度（ＰＲ）は、映像フォーマットからも一意に定まる。
【００３６】
さらに、番組時間長（ＰＬ）は、図２のＳ１１おいて番組名をＴＶ１４に設定する際に、設定する。
【００３７】
また番組解像度≧ＴＶ解像度の場合には、番組解像度にはリストアップ情報からの番組解像度を使用せずＴＶ解像度を使用する。これにより最適度評価において、必要以上の番組解像度が入力された場合の、評価精度の向上を図る。
【００３８】
次に、パラメータαの変更方法に関して説明する。
【００３９】
ＴＶ１４は、図２のＳ１１で設定したパラメータαに対して最適な番組を自動的に提示する。再生時間と解像度の重み付けを変更する場合の方法を以下に説明する。
【００４０】
図３は本発明の一実施の形態に係る番組視聴装置において、パラメータαの調整の為のＯＳＤバーを表示した場合の例を示す模式図である。
【００４１】
パラメータα変更の為のＯＳＤバーは、例えば、リモコンのパラメータα変更画面表示用の専用ボタンを持たせるか、ＴＶや携帯端末のメニュー機能でパラメータα変更画面表示機能を持たせることで実現する。
【００４２】
図３では、パラメータα設定変更用のＯＳＤバーを表示する。リモコンの左右キーでＯＳＤバー上のカーソルを移動させ、移動後に決定キーを押すことでパラメータαを設定する。
【００４３】
図３においては、ＯＳＤバー上のカーソルを左に移動するほど再生時間のウェイトが高くなり、右に移動するほど解像度のウェイトガ高くなる。
【００４４】
上記のようにパラメータαを変更した場合には、再度、最適度を算出しなおし、最適度が最大となった番組を自動的にＴＶに提示する。
【００４５】
このようなパラメータα変更手法を行うことで、リストアップ情報に記載された情報のリストを画面に表示せず自動的に表示すべき番組が選択されるのでユーザーの操作が容易になる。
【００４６】
なお、ＯＳＤバー上のカーソルを動かす際に、予め設定した時間以上カーソルを動かさなかった場合には、カーソルで示されたパラメータαの値を用いて、上記の最適度を算出し、図４に記載のように、最適度が最大となった番組の番組情報（番組配信サーバー名、番組名、再生時間、解像度、字幕情報、課金情報など）を表示画面の一部に番組情報ウィンドとして提示しても良い。
【００４７】
この場合、視聴者が上記の番組情報ウィンドを確認した上で決定キーを押すまでは、表示する番組は切り替えずに、視聴者が上記の番組情報ウィンドを確認した上で決定キーを押すことにより、選択したパラメータαに対する番組を自動表示する。これにより、更なる操作性の改善が図れる。
【００４８】
なお、本発明では、図２のＳ１５の最適度計算の算出可否判断の際に、リストアップ情報に再生時間（ＰＴ）と番組解像度（ＰＲ）があるかないかで最適度計算の可否を判断するとしたが、静止画の場合には再生時間（ＰＴ）が無いケースがあり、本発明では静止画は表示できないという課題がある。これに対しては、複数の番組配信サーバーからのリストアップ情報に、画像情報（静止画／動画の判別）の情報を加えることで、図２のＳ１５の最適度計算の算出可否判断の際に、静止画の場合には、再生時間（ＰＴ）を０とすることで、静止画に対しても自動表示が可能となる。
【００４９】
さらに本発明では、最適度の計算によりＴＶ１４に最適な番組を自動的に提示することが可能であり、その際に最適度関数を使用するが、その演算処理を低減させることで、パラメータα変更に対する応答性がよくなり、さらなる操作性が図れる。
【００５０】
具体的には、番組視聴用番組かとダイジェスト視聴用番組かを判断し、ダイジェスト視聴用はＳ１５の最適度計算を不可にすることで、演算を減らすことができる。
【００５１】
なお、番組視聴用番組かとダイジェスト視聴用番組かを判断は、番組配信サーバーからのリストアップ情報から番組名に、ダイジェスト判別キーワードが含まれるものや、再生時間（ＰＴ）が番組時間長（ＰＬ）に比べ十分小さいものをダイジェスト視聴用番組と判断することで容易に実現が可能となる。
【００５２】
ここでダイジェスト判別キーワードとしては、例えば“プレビュー”、“ハイライト偏”、“予告偏”などダイジェスト番組を示すキーワードを予めＴＶに設定し、記憶させておけばよい。
【００５３】
なお、ダイジェスト版を視聴したい場合もあるので、上記の番組視聴用番組かとダイジェスト視聴用番組かを判断機能をＴＶメニューで、使用／未使用の切り替えができる方が望ましい。
【００５４】
また本発明では、複数の番組配信サーバー１１ａ〜ｃが所望番組に対するリストアップ情報を作成するとしたが、既存のインターネットの検索サイトで所望の番組を検索することで、得た所望の番組に対する番組情報（解像度、再生時間など）を用いて、ＴＶに対する最適度の算出が可能である。
【産業上の利用可能性】
【００５５】
本発明は、種々の映像を表示するため等に利用することができる。
【図面の簡単な説明】
【００５６】
【図１】本発明の一実施の形態に係る番組視聴装置の動作概要を説明するための図
【図２】本発明の一実施の形態に係る番組視聴装置のフローチャート
【図３】パラメータαの変更方法の一実施例１を示す図
【図４】パラメータαの変更時の番組情報変更ウィンドの一例を示す図
【符号の説明】
【００５７】
１１    番組配信サーバー
１２    ネットワーク（インターネット網）
１３    携帯端末
１４    ＴＶ
【図１】
2009171490.tif 000003
【図２】
2009171490.tif 000004
【図３】
2009171490.tif 000005
【図４】
2009171490.tif 000006